(57)【要約】【課題】外からの衝撃等を受けても容易に外れることはなく、チューブを強固にクランプすることができるクランプ及び医療用具を提供すること。【解決手段】底部（２）の後方から立ち上がる屈曲部（８ａ）に封止部材（３）を延設し、底部（２）の前方から立ち上がる屈曲部（８ｂ）に係止部（６）を延設し、当該係止部（６）の背面に鋸歯形状の係合部５ａを形成し、封止部材（３）の先端部に係合突部（４）を形成し、当該係合突部（４）の前面に、前記係合部（５ａ）に噛み合わせることのできる鋸歯形状の係合部（５ｂ）を形成したクランプ（１）。【選択図】図１
0003108827.tif 000002
【実用新案登録請求の範囲】
【請求項１】
底部（２）の後方から立ち上がる屈曲部（８ａ）に封止部材（３）を延設し、
底部（２）の前方から立ち上がる屈曲部（８ｂ）に係止部（６）を延設し、
当該係止部（６）の背面に鋸歯形状の係合部５ａを形成し、
封止部材（３）の先端部に係合突部（４）を形成し、当該係合突部（４）の前面に、前記係合部（５ａ）に噛み合わせることのできる鋸歯形状の係合部（５ｂ）を形成した、ことを特徴とするクランプ（１）。
【請求項２】
封止部材（３）に、底部（２）側に向けて挟持部（７）を突設し、底部（２）に封止部材（３）側に向けて前記挟持部（７）と対向する位置に挟持部（９）を突設し、
前記二つの挟持部（７）と挟持部（９）の対向する先端部を、凸部（７ａ）と凹部（９ｂ）に形成したことを特徴とする請求項１に記載のクランプ（１）。
【請求項３】
請求項１ないし請求項２記載のクランプ（１）において、底部（２）を後方に延設して、当該後方延設部（２３）から屈曲部（８ａ）に沿って立ち上がるようにチューブ閉塞部材（２０）を形成したことを特徴するクランプ（１１）。
【請求項４】
チューブ閉塞部材（２０）は、板状に形成され、略中央部に上部から下部に亘る切込溝（２１）を形成し、当該切込溝（２１）の幅を、上部を広く、下部を狭く形成したことを特徴する請求項３に記載のクランプ（１１）。
【請求項５】
請求項１ないし請求項４に記載のクランプ（１、１１）をチューブの途中に装着したことを特徴とする医療用具。
【考案の詳細な説明】
【技術分野】
【０００１】
本考案は、クランプ及びクランプを装着した透析用血液回路や高カロリー輸液バッグ、輸液セット等の医療用具の改良に関する。
【背景技術】
【０００２】
透析用血液回路や高カロリー輸液バッグ、輸液セット等を構成するチューブに装着するクランプを、より確実で強固に閉塞する方法として、特許文献１から特許文献２に記載されたような発明が開示されている。
【０００３】
例えば、特許文献１に記載のクランプは、第一挟持部（本願の封止部材に相当）の凸状係合部４の側部に複数の係合突起１３、１４を設け、第二の挟持部（本願の底部に相当）から立ち上がる壁部４の前面に係止溝１５を形成し、係合突起１３を係止溝１５に係止することで、クランプをチューブに固定し、さらに係合突起１４を係止溝１５に係止することで、チューブを完全に閉塞するようにしている。
【０００４】
特許文献２に記載のクランプ（以下、以下一部本願の文言使用）は、底部の前方から立ち上がる屈曲部に延設された係止部の上部に、封止部材の係合突部が係止できる第１の係止部（溝）を形成し、さらに係止部の下部に、第２の係止部を形成し、封止部材の係合突部を第１の掛止部に係止したときは、クランプがチューブに固定され、封止部材の係合突部を第２の掛止部に係止したときは、チューブを閉塞するようにしている。
しかしながらこれらのクランプでは、係合突起１３（１４）と係止溝１５、封止部材の係合突部と第１（第２）の係止部は、一箇所で接触するのみであるから、外から衝撃をうけた場合や、必要以上の径の大きいチューブをクランプする場合、チューブの反発弾性により、チューブの係止が緩んでしまう懸念がある。
【特許文献１】特公平０５−２３７９２号公報（第７欄、図６、図７参照）
【特許文献２】特開平１０−１６９６１８号公報（第３頁、図７、図８）
【考案の開示】
【考案が解決しようとする課題】
【０００５】
解決しようとする問題点は、係合突起１３（１４）と係止溝１５、封止部材の先端部と第１（第２）の係止部は、一箇所で接触するのみであるから、チューブの係止が緩んで、チューブのずれが生じたり、チューブを完全に閉塞できない点である。
【課題を解決するための手段】
【０００６】
［１］本考案は、底部（２）の後方から立ち上がる屈曲部（８ａ）に封止部材（３）を延設し、
底部（２）の前方から立ち上がる屈曲部（８ｂ）に係止部（６）を延設し、
当該係止部（６）の背面に鋸歯形状の係合部５ａを形成し、
封止部材（３）の先端部に係合突部（４）を形成し、当該係合突部（４）の前面に、前記係合部（５ａ）に噛み合わせることのできる鋸歯形状の係合部（５ｂ）を形成したクランプ（１）を提供する。
［２］本考案は、封止部材（３）に、底部（２）側に向けて挟持部（７）を突設し、底部（２）に封止部材（３）側に向けて前記挟持部（７）と対向する位置に挟持部（９）を突設し、
前記二つの挟持部（７）と挟持部（９）の対向する先端部を、凸部（７ａ）と凹部（９ｂ）に形成した［１］に記載のクランプ（１）を提供する。
［３］本考案は、［１］ないし［２］記載のクランプ（１）において、底部（２）を後方に延設して、当該後方延設部（２３）から屈曲部（８ａ）に沿って立ち上がるようにチューブ閉塞部材（２０）を形成したクランプ（１１）を提供する。
［４］チューブ閉塞部材（２０）は、板状に形成され、略中央部に上部から下部に亘る切込溝（２１）を形成し、当該切込溝（２１）の幅を、上部を広く、下部を狭く形成した［３］に記載のクランプ（１１）を提供する。
［５］本考案は、［１］ないし［４］に記載のクランプ（１、１１）をチューブの途中に装着した医療用具を提供する。
【考案の効果】
【０００７】
クランプ１は、係合部５ａ、５ｂをお互いに噛み合う鋸歯形状に形成することにより、係合突部４と係止部６を、強固な係止状態を維持することができる。少なくとも複数の突部と溝が噛み合った数の分だけ、強固な係止状態とすることができる。これにより、チューブを強固に閉塞できる。
複数の突部と溝から構成される鋸歯形状の係合部５ａ、５ｂが相互に複数噛み合うことで、従来の単一の突部を溝にスライドさせながら係合させる場合よりも、はるかに、強固な係止状態を維持することができる。従来の単一の突部を溝の係合よりも、少なくとも複数の突部と溝がかみ合った数の倍数だけ、強固な係止状態となる。
このため外からの衝撃等を受けても容易に外れることはなく、チューブを強固にクランプすることができる。
また挟持部７と挟持部９の先端部を凸部７ａと凹部９ａに形成することにより、チューブを固定してクランプすることができ、より確実に安定してチューブをクランプすることができる。
またクランプ１１のように、チューブ閉塞部材２０を併設することにより、万が一、誤って突起部６ａを押し広げる等により、係合部５ａ、５ｂが緩んだりしても、このチューブ閉塞部材２０の切込溝２１に挟持しておくことにより、閉塞状態がなおも保持できるので安全である。
【考案を実施するための最良の形態】
【０００８】
図１は、本考案のクランプ１のチューブを挟持する前の状態の正面図、図２は、本考案のクランプ１のチューブを挟持した状態の正面図、図３は、本考案のクランプ１の左側面図である。
【０００９】
クランプ１は、底部２の後方から立ち上がる屈曲部８ａに封止部材３を延設し、底部２の前方から立ち上がる屈曲部８ｂに係止部６を延設している。
当該係止部６の背面には、鋸歯形状の係合部５ａを形成している。
封止部材３の先端部に係合突部４を形成し、当該係合突部４の前面に、前記係合部５ａに噛み合わせることのできる鋸歯形状の係合部５ｂを形成している。
屈曲部８ａ、８ｂには、チューブを挿通するための開口部１０ａ、１０ｂが設けられている。
本考案のクランプ１は、複数の突部と溝から構成される鋸歯形状の係合部５ａ、５ｂが相互に複数噛み合うことで、従来の単一の突部を溝にスライドさせながら係合させる場合よりも、はるかに、強固な係止状態を維持することができる。従来の単一の突部を溝の係合よりも、少なくとも複数の突部と溝が噛み合った数の倍数だけ、強固な係止状態となる。
このため外からの衝撃等を受けても容易に外れることはなく、チューブを強固にクランプすることができる。
また係止部６の上部には、取手６ａが形成され、取手６ａを、前方に押し広げることにより鋸歯形状の係合部５ａ、５の係合を容易に解除することができる。取手６ａを、前方に押し広げないかぎり、係合部５ａ、５の係合は、容易に解除されない。
【００１０】
［係合部５ａ、５ｂ］
鋸歯形状の係合部５ａ、５ｂの形状（縦と横の係合幅、突部と溝の数と大きさ（高さと深さ））は、前記目的を達成できれば、チューブ等のサイズに合わせて自在に設定・調節できる。
例えばチューブのサイズが大きい場合など、係合部５ａと係合部５ｂの全部の歯が噛み合わなくても、確実に係合することができ、チューブを強固に閉塞できる。また、チューブが細径の場合などは、係合突部４を通常よりも少し強く押し下げることで、サイズが大きい場合と同様に、チューブを強固に閉塞することができる。
【００１１】
［挟持部７、９及び凸部７ａ、凹部９ａ］
封止部材３に、底部２側に向けて挟持部７を突設し、底部２に封止部材３側に向けて前記挟持部７と対向する位置に挟持部９を突設し、前記二つの挟持部７と挟持部９の対向する先端部を、凸部７ａと凹部９ｂに形成している。図１から図３の例示では、挟持部７の先端部が凸部７ａ、挟持部９の先端部が凹部９ｂに形成されているが、挟持部７の先端部が凹部、挟持部９の先端部を凸部に形成しても良い。
挟持部７（９）の凹部９ｂ（７ｂ）に、チューブを固定してから、クランプできるので、チューブがずれることなく、確実に挟持することができる。
また凸部７ａ及び凹部９ａの形状は、図３に例示するように略半円状が好ましいが、チューブを確実に挟持できる形状であれば、何でも良い。略矩形状でも良い。
【００１２】
本考案のクランプ１を構成する材質は、反発弾性を有する合成樹脂であり、成形が容易なものであればよい。
【００１３】
クランプ１をチューブに挿通させたとき、係合突部４と係止部６が全くの開放状態であれば、クランプ１はチューブ上を自由に移動させることができる。
また、係合突部４を押圧する際、軽い力で押圧し、少しだけ押し下げて係合部５ａと係合部５ｂを浅く噛み合わせた場合は、クランプ１をチューブ上に固定できるだけでチューブは閉塞されないが、さらに係合突部４を押し下げることにより係合部５ａ、５ｂが深く噛み合い、チューブを確実完全に閉塞させることができる。
なお、閉塞させたチューブを再び開放する際は、突起部６ａを外側へ押し広げることで、係合部５ａと５ｂの噛み合わせが外れ、再び開放状態へと戻すことができる。
【００１４】
［クランプ１１］
図４、図５は本考案のクランプ１１のその他の実施例を示す概略図で、図４はクランプ１１のチューブを挟持する前の状態の正面図、図５は本考案のクランプ１１のチューブＴを挟持した状態の正面図、図６は本考案のクランプ１１の右側面図である。
クランプ１１は、さらに確実にチューブＴを閉塞するために、クランプ１の挟持部７、９に加えて、チューブ閉塞部材２０を一体成形等により付加したものである。
すなわち、図４、５に例示するように、底部２を後方に延設して、当該後方延設部２３から屈曲部８ａに沿って立ち上がるようにチューブ閉塞部材２０を形成している。チューブ閉塞部材２０は、板状に形成され略中央部に上部から下部に亘る切込溝２１を形成している。切込溝２１の幅は上部が広く下部が狭くなっている。チューブＴを切込溝２１の上部から下部にスライドさせることにより、チューブの液体流路を遮断することができる。
さらに詳述すれば、チューブ閉塞部材２０の切込溝２１は、略Ｖ字形状に形成し、開口部１０ａに挿通したチューブＴを、切込溝２１に装着する。さらにチューブＴを切込溝２１の下部の細い部分へと強くチューブＴを挟み込むことで、チューブＴを簡単容易かつ確実に閉塞することが可能である。
このチューブ閉塞部材２０の切込溝２１にチューブＴを挟み込んでおくことで、挟持部７、９に挟持するだけの場合よりも、より安全確実にチューブを閉塞することができる。
例えば、誤って突起部６ａを押し広げる等により、係合部５ａ、５ｂが緩んだりしても、このチューブ閉塞部材２０の切込溝２１に挟み込んでおくことにより、閉塞状態がなおも保持できて安全である。
【図面の簡単な説明】
【００１５】
【図１】本考案のクランプ１のチューブを挟持する前の状態の正面図
【図２】本考案のクランプ１のチューブを挟持した状態の正面図
【図３】本考案のクランプ１の左側面図
【図４】本考案のクランプ１１のチューブを挟持する前の状態の正面図
【図５】本考案のクランプ１１のチューブを挟持した状態の正面図
【図６】本考案のクランプ１１の右側面図
【符号の説明】
【００１６】
１、１１  クランプ
２  底部
３  封止部材
４  係合突部
５ａ、５ｂ  係合部
６  係止部
６ａ  取手
７  挟持部
７ａ  凸部
８ａ、８ｂ  屈曲部
９  挟持部
９ｂ  凹部
１０ａ、１０ｂ  開口部
２０  チューブ閉塞部材
２１  切込溝
２２  後方延設部
Ｔ  チューブ
【図１】
0003108827.tif 000003
【図２】
0003108827.tif 000004
【図３】
0003108827.tif 000005
【図４】
0003108827.tif 000006
【図５】
0003108827.tif 000007
【図６】
0003108827.tif 000008
【手続補正書】
【提出日】平成16年11月22日(2004.11.22)
【手続補正１】
【補正対象書類名】実用新案登録請求の範囲
【補正対象項目名】請求項３
【補正方法】変更
【補正の内容】
【請求項３】
請求項１ないし請求項２記載のクランプ（１）において、底部（２）を後方に延設して、当該後方延設部（２２）から屈曲部（８ａ）に沿って立ち上がるようにチューブ閉塞部材（２０）を形成したことを特徴するクランプ（１１）。
【手続補正２】
【補正対象書類名】明細書
【補正対象項目名】０００６
【補正方法】変更
【補正の内容】
【０００６】
［１］本考案は、底部（２）の後方から立ち上がる屈曲部（８ａ）に封止部材（３）を延設し、
底部（２）の前方から立ち上がる屈曲部（８ｂ）に係止部（６）を延設し、
当該係止部（６）の背面に鋸歯形状の係合部５ａを形成し、
封止部材（３）の先端部に係合突部（４）を形成し、当該係合突部（４）の前面に、前記係合部（５ａ）に噛み合わせることのできる鋸歯形状の係合部（５ｂ）を形成したクランプ（１）を提供する。
［２］本考案は、封止部材（３）に、底部（２）側に向けて挟持部（７）を突設し、底部（２）に封止部材（３）側に向けて前記挟持部（７）と対向する位置に挟持部（９）を突設し、
前記二つの挟持部（７）と挟持部（９）の対向する先端部を、凸部（７ａ）と凹部（９ｂ）に形成した［１］に記載のクランプ（１）を提供する。
［３］本考案は、［１］ないし［２］記載のクランプ（１）において、底部（２）を後方に延設して、当該後方延設部（２２）から屈曲部（８ａ）に沿って立ち上がるようにチューブ閉塞部材（２０）を形成したクランプ（１１）を提供する。
［４］チューブ閉塞部材（２０）は、板状に形成され、略中央部に上部から下部に亘る切込溝（２１）を形成し、当該切込溝（２１）の幅を、上部を広く、下部を狭く形成した［３］に記載のクランプ（１１）を提供する。
［５］本考案は、［１］ないし［４］に記載のクランプ（１、１１）をチューブの途中に装着した医療用具を提供する。
【手続補正３】
【補正対象書類名】明細書
【補正対象項目名】００１４
【補正方法】変更
【補正の内容】
【００１４】
［クランプ１１］
図４、図５は本考案のクランプ１１のその他の実施例を示す概略図で、図４はクランプ１１のチューブを挟持する前の状態の正面図、図５は本考案のクランプ１１のチューブＴを挟持した状態の正面図、図６は本考案のクランプ１１の右側面図である。
クランプ１１は、さらに確実にチューブＴを閉塞するために、クランプ１の挟持部７、９に加えて、チューブ閉塞部材２０を一体成形等により付加したものである。
すなわち、図４、５に例示するように、底部２を後方に延設して、当該後方延設部２２から屈曲部８ａに沿って立ち上がるようにチューブ閉塞部材２０を形成している。チューブ閉塞部材２０は、板状に形成され略中央部に上部から下部に亘る切込溝２１を形成している。切込溝２１の幅は上部が広く下部が狭くなっている。チューブＴを切込溝２１の上部から下部にスライドさせることにより、チューブの液体流路を遮断することができる。
さらに詳述すれば、チューブ閉塞部材２０の切込溝２１は、略Ｖ字形状に形成し、開口部１０ａに挿通したチューブＴを、切込溝２１に装着する。さらにチューブＴを切込溝２１の下部の細い部分へと強くチューブＴを挟み込むことで、チューブＴを簡単容易かつ確実に閉塞することが可能である。
このチューブ閉塞部材２０の切込溝２１にチューブＴを挟み込んでおくことで、挟持部７、９に挟持するだけの場合よりも、より安全確実にチューブを閉塞することができる。
例えば、誤って突起部６ａを押し広げる等により、係合部５ａ、５ｂが緩んだりしても、このチューブ閉塞部材２０の切込溝２１に挟み込んでおくことにより、閉塞状態がなおも保持できて安全である。